(57)【要約】【課題】光軸に対する結像面の傾き調整を要する第１の撮像素子を含む第１の撮像部、及び、光軸に対する結像面の傾き調整が不要な第２の撮像素子を含む第２の撮像部に対して共用が可能な撮像部保持ユニット、レンズ鏡筒及び撮像装置を提供する。【解決手段】撮像部保持ユニット１９０、２９０のＣＣＤ台３００に設けられた凹部３０２を、第１の撮像部１８０を支持するばね３１０を収容可能とするとともに、第２の撮像部２８０からＣＣＤ台側に突き出して設けられた突出部Ｓ２ａを収容可能とした。【選択図】図２
2008116739.tif 000002
【特許請求の範囲】
【請求項１】
本体部と、
光軸に対する結像面の傾き調整を要する第１の撮像素子を含む第１の撮像部と前記本体部とを係合させてこの第１の撮像部を前記本体部に固定する係合部と
を備え、
前記係合部は、前記光軸に対する結像面の傾き調整が不要な第２の撮像素子を含む第２の撮像部と前記本体部とを係合させてこの第２の撮像部を前記本体部に固定可能であること
を特徴とする撮像部保持ユニット。
【請求項２】
請求項１に記載の撮像部保持ユニットにおいて、
前記係合部は、
前記第１の撮像部及び前記第２の撮像部に対してそれぞれ係合可能なねじと、
前記本体部に設けられ、前記ねじに対してねじ結合可能なねじ孔とを含むこと
を特徴とする撮像部保持ユニット。
【請求項３】
請求項１又は請求項２に記載の撮像素子保持ユニットにおいて、
前記本体部は、前記第１の撮像部を支持するばねを収容可能な凹部を備え、
前記凹部は、前記第２の撮像部から前記本体部側に突き出して設けられた突出部を収容可能であること
を特徴とする撮像部保持ユニット。
【請求項４】
光軸に対する結像面の傾き調整を要する第１の撮像素子を含む第１の撮像部及び前記光軸に対する結像面の傾き調整が不要な第２の撮像素子を含む第２の撮像部の一方を選択的に装着可能な本体部と、
前記本体部に備えられ、前記第１の撮像部を支持するばねを収容可能に設けられるとともに、前記第２の撮像部から前記本体部側に突き出して設けられた突出部を収容可能な凹部と
を備えた撮像部保持ユニット。
【請求項５】
請求項３又は請求項４に記載の撮像部保持ユニットにおいて、
前記突出部は、前記第２の撮像素子を支持する支持部と硬質基板とを接続する接続ねじの先端部であること
を特徴とする撮像部保持ユニット。
【請求項６】
請求項１から請求項５までのいずれか１項に記載の撮像部保持ユニットにおいて、
前記本体部と前記第２の撮像部との間に装着され、前記第２の撮像部の前記光軸方向における位置を調節可能なスペーサを含むこと
を特徴とする撮像部保持ユニット。
【請求項７】
請求項３から請求項５までのいずれか１項に記載の撮像部保持ユニットにおいて、
前記本体部と前記第２の撮像部との間に装着され、前記第２の撮像部の前記光軸方向における位置を調節可能なスペーサを含み、
前記スペーサは、前記装着状態において前記凹部と重なる位置を切り欠いて設けられた切欠部を含むこと
を特徴とする撮像部保持ユニット。
【請求項８】
請求項１から請求項７までのいずれか１項に記載の撮像部保持ユニットを備えること
を特徴とするレンズ鏡筒。
【請求項９】
請求項１から請求項７までのいずれか１項に記載の撮像部保持ユニットを備えること
を特徴とする撮像装置。
【発明の詳細な説明】
【技術分野】
【０００１】
本発明は、撮像部保持ユニット、レンズ鏡筒、及び、撮像装置に関するものである。
【背景技術】
【０００２】
デジタルカメラ等のレンズ鏡筒は、ＣＣＤ（Charge Coupled Devices）が装着されるＣＣＤ台を備え、ＣＣＤ台は、光軸に対しＣＣＤの結像面の傾き調整が可能なものが知られている（例えば、特許文献１参照）。
【特許文献１】特開２００５−５１５１８号公報
【発明の開示】
【発明が解決しようとする課題】
【０００３】
ここで、ＣＣＤの結像面の傾き調整を要せず、かつ、硬質基板に装着されるＣＣＤにも上記のＣＣＤ台を使用できれば、例えば、鏡筒等のコストダウンが可能となる。
本発明の第１の課題は、光軸に対する結像面の傾き調整を要する第１の撮像素子を含む第１の撮像部、及び、光軸に対する結像面の傾き調整が不要な第２の撮像素子を含む第２の撮像部に対して共用が可能な撮像部保持ユニット、レンズ鏡筒及び撮像装置を提供することである。
【０００４】
一方、上記傾き調整が不要なＣＣＤを上記傾き調整機構を有するＣＣＤ台に装着する場合、硬質基板とＣＣＤとを接続する固定ねじがＣＣＤ台に干渉する可能性がある。これに対し、ＣＣＤ台に固定ねじの先端部を退避させる孔を別途設けることも考えられるが、ＣＣＤ台には、ばねを収容する孔等が設けられスペースが限られているため、ＣＣＤ台の大型化の原因となる。
【０００５】
本発明の第２の課題は、光軸に対する結像面の傾き調整を要する第１の撮像素子を含む第１の撮像部、及び、光軸に対する結像面の傾き調整が不要な第２の撮像素子を含む第２の撮像部に対して共用が可能であり、かつ、大型化が防止された撮像部保持ユニット、レンズ鏡筒及び撮像装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、本体部（３００）と、光軸に対する結像面の傾き調整を要する第１の撮像素子（１８１）を含む第１の撮像部（１８０）と前記本体部とを係合させてこの第１の撮像部を前記本体部に固定する係合部（Ｓ１、３０３）とを備え、前記係合部は、前記光軸に対する結像面の傾き調整が不要な第２の撮像素子（２８１）を含む第２の撮像部（２８０）と前記本体部とを係合させてこの第２の撮像部を前記本体部に固定可能であることを特徴とする撮像部保持ユニット（１９０、２９０）である。
【０００７】
請求項２の発明は、請求項１に記載の撮像部保持ユニットにおいて、前記係合部は、前記第１の撮像部及び前記第２の撮像部に対してそれぞれ係合可能なねじ（Ｓ１）と、前記本体部に設けられ、前記ねじに対してねじ結合可能なねじ孔（３０３）とを含むことを特徴とする撮像部保持ユニット（１９０、２９０）である。
請求項３の発明は、請求項１又は請求項２に記載の撮像素子保持ユニットにおいて、前記本体部（３００）は、前記第１の撮像部（１８０）を支持するばね（３１０）を収容可能な凹部（３０２）を備え、前記凹部は、前記第２の撮像部（２８０）から前記本体部側に突き出して設けられた突出部（Ｓ２ａ）を収容可能であることを特徴とする撮像部保持ユニット（１９０、２９０）ある。
【０００８】
請求項４の発明は、光軸に対する結像面の傾き調整を要する第１の撮像素子（１８１）を含む第１の撮像部（１８０）及び前記光軸に対する結像面の傾き調整が不要な第２の撮像素子（２８１）を含む第２の撮像部（２８０）の一方を選択的に装着可能な本体部（３００）と、前記本体部に備えられ、前記第１の撮像部を支持するばね（３１０）を収容可能に設けられるとともに、前記第２の撮像部から前記本体部側に突き出して設けられた突出部（Ｓ２ａ）を収容可能な凹部（３０２）とを備えた撮像部保持ユニット（１９０、２９０）である。
【０００９】
請求項５の発明は、請求項３又は４に記載の撮像部保持ユニットにおいて、前記突出部（Ｓ２ａ）は、前記第２の撮像素子（２８１）を支持する支持部（２８４）と硬質基板（２７０）とを接続する接続ねじ（Ｓ２）の先端部であることを特徴とする撮像部保持ユニット（１９０、２９０）である。
請求項６の発明は、請求項１から請求項５までのいずれか１項に記載の撮像部保持ユニットにおいて、前記本体部（３００）と前記第２の撮像部（２８０）との間に装着され、前記第２の撮像部の前記光軸方向における位置を調節可能なスペーサ（３２０）を含むことを特徴とする撮像部保持ユニット（１９０、２９０）である。
請求項７の発明は、請求項３から請求項５までのいずれか１項に記載の撮像部保持ユニットにおいて、前記本体部（３００）と前記第２の撮像部（２８０）との間に装着され、前記第２の撮像部の前記光軸方向における位置を調節可能なスペーサ（３２０）を含み、前記スペーサ（３２０）は、前記装着状態において前記凹部（３０２）と重なる位置を切り欠いて設けられた切欠部（３２３）を含むことを特徴とする撮像部保持ユニット（１９０、２９０）である。
【００１０】
請求項８の発明は、請求項１から請求項７までのいずれか１項に記載の撮像部保持ユニット（１９０、２９０）を備えることを特徴とするレンズ鏡筒（１２０、２２０）である。
請求項９の発明は、請求項１から請求項７までのいずれか１項に記載の撮像部保持ユニット（１９０、２９０）を備えることを特徴とする撮像装置（１００、２００）である。
なお、符号を付して説明した構成は、適宜改良してもよく、また、少なくとも一部を他の構成物に代替してもよい。
【発明の効果】
【００１１】
本発明によれば、係合部は、第１の撮像部と本体部とを固定できるとともに、第２の撮像部と本体部とを固定できるので、第１の撮像部及び第２の撮像部に対して本体部を共用できる。
【００１２】
また、突出部を本体部に設けられた凹部に収容するから、突出部を退避させる手段を別途設ける必要がなく、撮像部保持ユニットの大型化を防止できる。
【発明を実施するための最良の形態】
【００１３】
［実施形態］
以下、図面等を参照して、本発明の実施形態をあげて、さらに詳しく説明する。なお、以下の実施形態は、撮像素子保持ユニットを含む撮像装置としてデジタルカメラを例にとって説明する。
図１は、実施形態のデジタルカメラの構造を示す図である。
この図１において、（ａ）に示すデジタルカメラ１００は、光軸に対する結像面の傾き調整を要するＣＣＤを含む第１の撮像部１８０を備えており、（ｂ）に示すデジタルカメラ２００は、光軸に対する結像面の傾き調整を要しないＣＣＤを含む第２の撮像部２８０を備えている。
【００１４】
図２は、図１に示すデジタルカメラにおけるＣＣＤの取付構造を示す拡大図である。
この図２において、（ａ）は、図１（ａ）のデジタルカメラ１００を示し、（ｂ）は、図１（ｂ）のデジタルカメラ２００を示している。
図３は、図１（ａ）のデジタルカメラにおけるＣＣＤの取付構造を示す分解斜視図である。
図４は、図１（ｂ）のデジタルカメラにおけるＣＣＤの取付構造を示す分解斜視図である。
【００１５】
デジタルカメラ１００及びデジタルカメラ２００は、ともにレンズ鏡筒一体型の撮像装置である。
以下、デジタルカメラ１００、デジタルカメラ２００についてそれぞれ説明する。
【００１６】
図１（ａ）、図２（ａ）及び図３に示すように、デジタルカメラ１００は、ボディ１１０、レンズ鏡筒１２０、ＬＣＤ（Liquid Crystal Display）１３０、コンデンサ１４０、フラッシュメモリ収容部１５０、バッテリ収容部１６０、配線部１７０、第１の撮像部１８０、ＣＣＤ保持ユニット１９０を備えている。
【００１７】
ボディ１１０は、例えば、合成樹脂材料や金属材料を組み合わせて形成された箱形の容器である。
レンズ鏡筒１２０は、複数のレンズ群によって形成される撮像光学系を収容する部分である。レンズ鏡筒１２０は、略同軸上に配置された複数の筒体を備え、これらの複数の筒体は、例えば、カム機構によって撮像光学系の光軸Ａ方向に進退可能になっている。レンズ鏡筒１２０は、デジタルカメラ１００の電源オフ時に光軸Ａ方向の全長を短くしてボディ１１０に収容可能ないわゆる沈胴式のレンズ鏡筒である。このレンズ鏡筒１２０に含まれる筒体のうち、もっとも外径側に配置された固定筒は、ボディ１１０に対する移動が制限されており、沈胴動作時における光軸Ａ方向への移動が実質的に不可能とされている。
【００１８】
ＬＣＤ１３０は、スルー画及び撮影済み画像の表示を行う液晶表示装置である。ＬＣＤ１３０は、ボディ１１０の背面（通常撮影時に撮影者に対向する面）に設けられている。スルー画とは、フレーミング時に撮像光学系が取得する被写体像がリアルタイムに出力されたものである。
コンデンサ１４０は、例えば、図示しない発光装置の電源として機能する部分であり、ボディ１１０の内部に収容されている。
【００１９】
フラッシュメモリ収容部１５０は、ボディ１１０の内部に設けられた空間部であり、図示しないフラッシュメモリを収容する部分である。フラッシュメモリは、例えば、カード型の不揮発性情報記録媒体であり、撮影データ等が記録される。
バッテリ収容部１６０は、上記のフラッシュメモリ収容部１５０に隣接してボディ１１０の内部に設けられた空間部であり、カード型のバッテリを収容するようになっている。バッテリは、デジタルカメラ１００に備えられた図示しない電動アクチュエータやＣＣＤ１８１等の電気要素に対する電源として機能する。
【００２０】
配線部１７０は、デジタルカメラ１００に備えられた電気要素同士を接続するものである。配線部１７０は、硬質基板１７１（１７１ａ、１７１ｂ）及びＦＰＣ（Flexible Printed Circuit）１７２（１７２ａ、１７２ｂ）を備えている。
硬質基板１７１（１７１ａ、１７１ｂ）は、２枚設けられ、前述のフラッシュメモリ収容部１５０及びバッテリ収容部１６０を挟んで配置されている。
ＦＰＣ１７２は、可撓性を有するシート状の配線基板であり、上記の２枚の硬質基板１７１ａ、１７１ｂを接続する第１のＦＰＣ１７２ａ、及び、後述するＣＣＤ１８１とデジタルカメラ１００の背面側に備えられた硬質基板１７２ｂとを接続する第２のＦＰＣ１７２ｂを備えている。第２のＦＰＣ１７２ｂは、ＬＣＤ１３０の裏面（画像表示面とは反対の面）に対向して配置されている。
【００２１】
第１の撮像部１８０は、図２（ａ）及び図３に示すように、ＣＣＤ１８１、光学ローパスフィルタ（ＬＰＦ）１８２、防塵パッキン１８３及びＣＣＤ保持板金１８４を備えている。
ＣＣＤ１８１は、レンズ鏡筒１２０に備えられた撮像光学系が取得した像光を電気信号に変換する光−電気変換素子である。ＣＣＤ１８１は、その結像面とは反対側の面が前述の第２のＦＰＣ１７２ｂに直接実装（面実装）されている。
【００２２】
ＬＰＦ１８２は、ＣＣＤ１８１の結像面に対して光軸Ａ方向被写体側に設けられている。ＬＰＦ１８２は、ＣＣＤ１８１に結像される被写体像にモアレ等が発生するのを防止するものである。
防塵パッキン１８３は、ＣＣＤ１８１とＬＰＦ１８２との間であって光路から退避した位置に設けられている。防塵パッキン１８３は、ＣＣＤ１８１とＬＰＦ１８２との間にごみ等が侵入するのを防止するものである。防塵パッキン１８３は、弾性変形が可能な、例えば、ゴム系の材料によって形成されている。
【００２３】
ＣＣＤ保持板金１８４は、金属材料によって形成された板材であり、その一方の面部の中央部に、第２のＦＰＣ１７２ｂを介してＣＣＤ１８１が接着剤によって貼付されている。ＣＣＤ保持板金１８４は、その中央部に開口部を備えており、上記接着剤は、この開口部から第２のＦＰＣ１７２ｂとＣＣＤ保持板金１８４との間に流し込まれる。
ＣＣＤ保持板金１８４は、ＣＣＤ１８１が貼付された領域（以下、ＣＣＤ貼付領域という）を挟んでＣＣＤ固定ねじ貫通孔１８５（１８５ａ、１８５ｂ、１８５ｃ）と位置決めボス挿入孔１８６（１８６ａ、１８６ｂ）を備えている（図３参照）。
ＣＣＤ固定ねじ貫通孔１８５は、例えば、ＣＣＤ貼付領域を挟んだ一方側の領域に一つ（１８５ａ）、他方側の領域に二つ（１８５ｂ、１８５ｃ）の合計三つが設けられている。第１の撮像部１８０をＣＣＤ保持ユニット１９０に固定するＣＣＤ固定ねじＳ１は、このＣＣＤ固定ねじ貫通孔１８５を貫通して、ＣＣＤ保持ユニット１９０に設けられた後述するねじ孔３０３に螺合している。ＣＣＤ固定ねじＳ１は、ＣＣＤ固定ねじ貫通孔１８５に対応して合計３本使用されている。
位置決めボス挿入孔１８６は、例えば、ＣＣＤ保持領域を挟んでＣＣＤ保持板金１８４の端部に一つずつ、合計二つ設けられている。この位置決めボス挿入孔１８６は、ＣＣＤ保持ユニット１９０に設けられた位置決めボス３０４が挿入されている（図２（ａ）参照）。なお、一方の位置決めボス挿入孔１８６ａは、長孔となっているのに対し、他方の位置決めボス挿入孔１８６ｂは、略円形の孔となっている。
【００２４】
ＣＣＤ保持ユニット１９０は、図２（ａ）及び図３に示すように、第１の撮像部１８０が装着される部分であり、ＣＣＤ台３００、調整ばね３１０を備えている。なお、ＣＣＤ保持ユニット１９０は、第１の撮像部１８０の他、レンズ鏡筒１２０のカム機構を駆動するアクチュエータ等も装着されている。
ＣＣＤ台３００は、合成樹脂材料によって形成された成型品であって、レンズ鏡筒１２０の固定筒に固定されたＣＣＤ保持ユニット１９０の本体部である。ＣＣＤ台３００は、その中央部であって、撮像光学系の光路上に開口部を備えている。
【００２５】
ＣＣＤ台３００は、ＣＣＤ収容部３０１、ばね収容部３０２、ねじ孔３０３、位置決めボス３０４を備えている（ばね収容部３０２は、図２（ａ）参照）。
ＣＣＤ収容部３０１は、ＣＣＤ台３００に設けられた前述の開口部を含む部分が略矩形状に凹まされて形成されている。図２（ａ）に示すようにＣＣＤ１８１、ＬＰＦ１８２、防塵パッキン１８３は、このＣＣＤ収容部３０１に嵌め込まれている。このＣＣＤ収容部３０１の大きさは、収容されるＣＣＤ１８１、２８１のうち、外形形状が大きい方を収容できるように設定されている。
【００２６】
ばね収容部３０２は、後述する調整ばね３１０を収容する部分であり、ＣＣＤ台３００の表面を凹ませて形成されている。ばね収容部３０２は、ＣＣＤ収容部３０１を挟んだ一方側の領域に一つ（３０２ａ）、他方側の領域に二つ（３０２ａ、３０２ｂ）の合計三つが設けられている。
ねじ孔３０３は、３つのばね収容部３０２にそれぞれ隣接して、例えば、合計三つ（３０２ａ、３０２ｂ、３０２ｃ）設けられている。ねじ孔３０３ａ、３０３ｂ、３０３ｃには、それぞれＣＣＤ固定ねじ貫通孔１８５ａ、１８５ｂ、１８５ｃを貫通したＣＣＤ固定ねじＳ１が螺合している。
【００２７】
位置決めボス３０４は、第１の撮像部１８０のＣＣＤ台３００に対する位置を決めるものである。位置決めボス３０４は、ＣＣＤ台３００におけるＣＣＤ保持板金１８４に対向する面から突き出して形成された円柱状の部分であり、ＣＣＤ収容部３０１を挟んで、例えば、二つ設けられている。
位置決めボス３０４は、第１の撮像部１８０のＣＣＤ保持板金１８４に設けられた位置決めボス挿入孔１８６に嵌合しており、この状態で第１の撮像部１８０のＣＣＤ台３００に対する光軸Ａ方向以外の方向への移動が制限されている。
【００２８】
ここで、デジタルカメラ１００に使用されるＣＣＤ１８１は、その結像面が、例えば、ＣＣＤ１８１の取付面（入射面の反対側の面）に対して傾いていることがある。この結像面の傾き角は、ＣＣＤ１８１の個体によって異なっており、第１の撮像部１８０は、ＣＣＤ１８１の個体ごとにその結像面が光軸Ａに対して垂直となるように調節する必要がある。なお、本明細書において、ＣＣＤの結像面とは、ＣＣＤに備えられた複数の受光素子によって形成される面を意味するものとする。
【００２９】
調整ばね３１０は、ＣＣＤ１８１の結像面を光軸Ａに対して傾き調節ができるように、第１の撮像部１８０をＣＣＤ台３００に対してフローティング支持するものである。
調整ばね３１０は、ばね収容部３０２に収容された圧縮コイルばねであり、ＣＣＤ台３００とＣＣＤ保持板金１８４との間に挟まれて配置されている。
調整ばね３１０は、ＣＣＤ固定ねじＳ１がＣＣＤ台３００に締め込まれることによって圧縮され、ＣＣＤ保持板金１８４をＣＣＤ台３００に対して離間させる方向に付勢している。これによって、第１の撮像部１８０のＣＣＤ保持ユニット１９０に対するがたつきが防止される。
第１の撮像部１８０は、各ＣＣＤ固定ねじＳ１の締め込み量が調節されることによって、光軸Ａに対する姿勢が変化し、これによって、その結像面が光軸Ａに対して垂直となるように調整できるようになっている。
この調整は、デジタルカメラ１００によって検査用のチャートを撮影するとともに、このチャートの象限ごとの解像度を測定することによって行われ、この測定結果に基づいてＣＣＤ固定ねじＳ１の締め込み量が算出される。ＣＣＤ固定ねじＳ１は、第１の撮像部１８０の結像面が光軸Ａに対して垂直となるように調整したのち、例えば、接着剤によってＣＣＤ台３００に固定される。
【００３０】
次に、図１（ｂ）、図２（ｂ）及び図４を用いてデジタルカメラ２００について説明する。
デジタルカメラ２００は、ボディ２１０、レンズ鏡筒２２０、ＬＣＤ２３０、コンデンサ２４０、フラッシュメモリ収容部２５０、バッテリ収容部２６０、配線部２７０、第２の撮像部２８０、ＣＣＤ保持ユニット２９０を備えている。
ボディ２１０は、グリップが設けられている点においてデジタルカメラ１００のボディ１１０と異なっている。グリップは、ボディ２１０の前面（通常撮影時に被写体に対向する面）が被写体側に張り出して形成されている。
レンズ鏡筒２２０、ＬＣＤ２３０、コンデンサ２４０及びフラッシュメモリ収容部２５０については、それぞれ先に説明したデジタルカメラ１００のレンズ鏡筒１２０、ＬＣＤ１３０、コンデンサ１４０及びフラッシュメモリ収容部１５０と略同様の機能を有するため、その説明を省略する。
【００３１】
バッテリ収容部２６０は、ボディ２１０におけるグリップが形成された部分に設けられている。デジタルカメラ２００のバッテリは、デジタルカメラ１００がカード型のバッテリを使用するのに対し、例えば、単三型乾電池等の電池である。
デジタルカメラ２００の配線部２７０は、デジタルカメラ１００の配線部１７０が硬質基板１７１とＦＰＣ１７２とを組み合わせたものであるのに対し、一枚の硬質基板によって構成されている。配線部２７０は、ＬＣＤ２３０の裏面に対向して配置されている。
配線部２７０を構成する硬質基板の厚みは、例えば、０．８ｍｍとなっている。この硬質基板は、後述する硬質基板固定ねじＳ２が貫通するねじ孔２７１（図２（ｂ）参照）を、例えば、二つ備えている。
【００３２】
第２の撮像部２８０は、デジタルカメラ１００の第１の撮像部１８０と同様に、ＣＣＤ２８１、ＬＰＦ２８２、防塵パッキン１８３及びＣＣＤ保持板金２８４を備えている。
ＣＣＤ２８１は、デジタルカメラ１００のＣＣＤ１８１と同様な機能を有する光−電気変換素子である。ＣＣＤ２８１は、入射面とは反対側の面から突き出して設けられた複数のリードを備えており、このリードの先端部が配線部２７０に対して、例えば、はんだ付けによって接続されている。
【００３３】
ＬＰＦ２８２は、デジタルカメラ１００に備えられたＬＰＦ１８２と同様に機能するものであり、ＣＣＤ２８１の結像面に対して光軸Ａ方向被写体側に設けられている。
防塵パッキン１８３は、デジタルカメラ１００に備えられた防塵パッキン１８３と同じものであり、デジタルカメラ１００及びデジタルカメラ２００において共用されている。
【００３４】
ＣＣＤ保持板金２８４は、金属材料によって形成された板材であり、ＣＣＤ２８１と配線部２７０（硬質基板）との間に配置されている。ＣＣＤ保持板金２８４は、その一方の面部の中央部に、ＣＣＤ２８１が貼付されている。ＣＣＤ保持板金２８４の厚みは、例えば、０．６ｍｍとなっている。
ＣＣＤ保持板金２８４は、ＣＣＤ２８１が貼付された領域（以下、ＣＣＤ貼付領域という）を挟んで固定ねじ貫通孔２８５（２８５ａ、２８５ｂ）、位置決めボス挿入孔２８６、硬質基板固定ねじ孔２８７（２８７ａ、２８７ｂ）を備えている（図４参照）。
【００３５】
固定ねじ貫通孔２８５は、例えば、ＣＣＤ保持領域を挟んで一つずつ、合計二つ（２８５ａ、２８５ｂ）が設けられている。二つの固定ねじ貫通孔２８５の一方（２８５ａ）を貫通するＣＣＤ固定ねじＳ１は、ＣＣＤ台３００のネジ孔３０３ａに螺合し、他方（２８５ｂ）を貫通するＣＣＤ固定ねじＳ１は、ＣＣＤ台３００のネジ孔３０３ｂに螺合している（ネジ孔３０３ａ、３０３ｂは、図３参照）。
デジタルカメラ１００に使用されるＣＣＤ固定ねじＳ１とデジタルカメラ２００に使用されるＣＣＤ固定ねじＳ１とは、同じものである。このように、デジタルカメラ１００が３本のＣＣＤ固定ねじＳ１によって第１の撮像部１８０をＣＣＤ台３００に固定しているのに対し、デジタルカメラ２００は、２本のＣＣＤ固定ねじＳ１によって第２の撮像部２８０をＣＣＤ台３００に固定している。
また、配線部２７０の硬質基板には、これらのＣＣＤ固定ねじＳ１のねじ頭との干渉を防止するための孔部が設けられている。
【００３６】
位置決めボス挿入孔２８６は、例えば、ＣＣＤ保持領域を挟んでＣＣＤ保持板金２８４の端部に一つずつ、合計二つ設けられている。これらの位置決めボス挿入孔２８６は、デジタルカメラ１００のＣＣＤ保持板金１８４に設けられた位置決めボス挿入孔１８６と同様に位置決めボス３０４が挿入されている。
【００３７】
硬質基板固定ねじ孔２８７は、後述する硬質基板固定ねじＳ２に螺合可能なねじ孔である。硬質基板固定ねじ孔２８７は、例えば、ＣＣＤ固定ねじ貫通孔２８５に隣接して一つずつ、合計二つ（２８７ａ、２８７ｂ）設けられている。これらの硬質基板固定ねじ孔２８７ａ、２８７ｂは、ＣＣＤ保持ユニット２９０を光軸Ａ方向から見た場合に、それぞればね収容部３０２ａ、３０２ｂと重なる位置に形成されている。
【００３８】
ＣＣＤ保持板金２８４は、配線部２７０（硬質基板）に対して、硬質基板固定ねじＳ２によって固定されている。なお、ＣＣＤ保持板金２８４と配線部２７０とを接続した状態において、ＣＣＤ２８１のリードの先端部と硬質基板とは、微少な間隔をおいて離間しており、はんだへのストレスが防止されている。
この硬質基板固定ねじＳ２の先端部は、ＣＣＤ保持板金２８４における配線部２７０に対向する面とは反対側の面から突き出している（図２（ｂ）参照）。以下、硬質基板固定ねじＳ２のＣＣＤ保持板金２８４から突き出した部分を突出部Ｓ２ａと称して説明する。
前述のように、配線部２７０を構成する硬質基板及びＣＣＤ保持板金２８４の厚さは、それぞれ、例えば、０．８ｍｍ、０．６ｍｍとなっている。硬質基板固定ねじＳ２の寸法を配線部２７０及びＣＣＤ保持板金２８４の厚さ（合計で１．４ｍｍ程度）に合わせて設定することは困難であり、この突出部Ｓ２ａは、実質的に不可避的に設けられるものである。
【００３９】
ＣＣＤ保持ユニット２９０は、デジタルカメラ１００に備えられたＣＣＤ保持ユニット１９０と同様の機能を有するものであり、ＣＣＤ台３００、スペーサ３２０を備えている。
このＣＣＤ台３００は、デジタルカメラ１００のＣＣＤ台３００と同じものであり、デジタルカメラ１００とデジタルカメラ２００とにおいて、共用されている。
ここで、デジタルカメラ２００のＣＣＤ２８１は、例えば、入射面とは反対側の面（ＣＣＤ保持板金２８４への取付面）に対してその結像面が略平行に配置されており、第１の撮像部１８０のＣＣＤ１８１と異なり結像面を光軸Ａに対して垂直とする調節を行う必要がないものである。
このため、デジタルカメラ２００のＣＣＤ保持ユニット２９０は、デジタルカメラ１００のＣＣＤ保持ユニット１９０と異なり、調整ばね３１０を備えていない。
【００４０】
スペーサ３２０は、ＣＣＤ保持板金２８４とＣＣＤ台３００との間に挟まれて設けられた板材であり、例えば、金属材料によって形成されている。前述のＣＣＤ保持板金２８４は、ＣＣＤ固定ねじＳ１によってスペーサ３２０を介してＣＣＤ台３００に固定されている。
スペーサ３２０は、光路に干渉しないようにその中央部が矩形状に切り欠かれている。また、スペーサ３２０は、ＣＣＤ保持板金２８４と同様に、ＣＣＤ台３００の位置決めボス３０４が挿入される位置決めボス挿入孔３２１が設けられている（図２（ｂ）参照）。
スペーサ３２０は、上記中央部の切欠きを挟んで、ＣＣＤ固定ねじ貫通孔３２２が一対設けられており、ＣＣＤ固定ねじＳ１が貫通可能になっている。
また、スペーサ３２０は、ＣＣＤ保持ユニット２９０を光軸Ａ方向から見た場合に、ばね収容部３０２ａ、３０２ｂと重なる位置が切り欠かれて形成された切欠部３２３が設けられている。
【００４１】
前述のように、ＣＣＤ２８１は、光軸Ａに対する傾き調整が不要なのでＣＣＤ固定ねじＳ１は、第２の撮像部２８０がＣＣＤ台３００に対して移動が実質的に不可能となる位置まで締め込まれる。
ここで、第２の撮像部２８０をＣＣＤ台３００に装着した状態において、硬質基板固定ねじＳ２の先端部（突出部Ｓ２ａ）は、ＣＣＤ保持板金２８４からＣＣＤ台３００に向けて突き出して設けられているので、ＣＣＤ台３００とこの硬質基板固定ねじＳ２の突出部Ｓ２ａとが干渉してＣＣＤ２８１の結像面が光軸Ａに対して垂直にならない可能性がある。
しかし、本実施形態のデジタルカメラ２００は、前述のように、ＣＣＤ保持板金２８４に設けられた硬質基板固定ねじ孔２８７ａ、２８７ｂがＣＣＤ保持ユニット２９０を光軸Ａ方向からみてばね収容部３０２ａ、３０２ｂに重なる位置に設けられ、かつ、デジタルカメラ２００は、調整ばね３１０を備えていないので、硬質基板固定ねじＳ２の先端部（突出部Ｓ２ａ）は、ばね収容部３０２に収容される（図２（ｂ）参照）。
これによって、硬質基板固定ねじＳ２の突出部Ｓ２ａとＣＣＤ台３００とが干渉することが防止され、第２の撮像部２８０をＣＣＤ台３００に確実に装着できる。
【００４２】
以上説明したように、本実施形態によれば以下の効果を得ることができる。
（１）別種のデジタルカメラ１００、２００において、そのＣＣＤ保持ユニット１９０、２９０のＣＣＤ台３００及びＣＣＤ固定ねじＳ１を共用したから、それぞれの各カメラの製造、開発コストを低減できる。
（２）硬質基板固定ねじＳ２の先端部（突出部Ｓ２ａ）をＣＣＤ台３００に備えられたばね収容部３０２に挿入したから、硬質基板固定ねじＳ２とＣＣＤ台３００との干渉を防止でき、第２の撮像部２８０をＣＣＤ台３００に確実に装着できる。また、ＣＣＤ台３００に別途突出部Ｓ２ａを退避させる退避部を設ける必要がなく、ＣＣＤ台３００の大型化を防止できる。
（３）ＣＣＤ２８１の光軸Ａ上の位置を調整するスペーサ３２０に切欠部３２３を設けたから、硬質基板固定ねじＳ２とスペーサ３２０との干渉を防止できる。
（４）第１の撮像部１８０及び第２の撮像部２８０において、防塵パッキン１８３を共用したから各カメラをコストダウンできる。また、防塵パッキン１８３をゴム系の材料によって形成したので、ＣＣＤ固定ねじＳ１を締め込むと、防塵パッキン１８３が変形する。これによって、ＣＣＤ１８１、２８１の外形形状差が吸収され、これらのＣＣＤをＣＣＤ収容部３０１に確実に装着できる。
【００４３】
［変形形態］
本発明は、以上説明した実施形態に限定されることなく、種々の変形や変更が可能であって、それらも本発明の技術的範囲内である。
（１）本発明の撮像素子保持ユニットの構成は、実施形態に記載したものに限らず適宜変更が可能である。例えば、撮像素子保持ユニットに装着される撮像素子は、ＣＭＯＳ等であってもよい。また、実施形態の撮像素子保持ユニットは、２種類のカメラに対して共用されるものであったが、実施形態の撮像素子保持ユニットが使用されるカメラの種類は、例えば、３種類以上であってもよい。
（２）実施形態の撮像素子保持ユニットは、レンズ一体型のデジタルカメラのボディ内において、レンズ鏡筒の固定筒に固定される構成であったが、これに限らず、例えば、レンズ交換式のカメラシステムにおけるカメラ本体部に設けられてもよい。
（３）実施形態において突出部は、硬質基板固定ねじであったが、突出部はこれに限らず、例えば、リベットやピンのようなものでもよい。
（４）実施形態において、スペーサは、板材によって形成されたワンピース構造のものであったが、スペーサの形状はこれに限らず、例えば、ワッシャのようなものでもよい。また、スペーサは、複数枚が重ねて使用されてもよい。
【図面の簡単な説明】
【００４４】
【図１】実施形態のデジタルカメラを示す図である。
【図２】図１のデジタルカメラにおけるＣＣＤの取付構造を示す図である。
【図３】図１（ａ）のデジタルカメラにおけるＣＣＤの取付構造を示す分解斜視図である。
【図４】図２（ａ）のデジタルカメラにおけるＣＣＤの取付構造を示す分解斜視図である。
【符号の説明】
【００４５】
１００  デジタルカメラ  ：  １２０  レンズ鏡筒  ：  １８０  第１の撮像部  ：  １８１  ＣＣＤ  ：  １９０  ＣＣＤ保持ユニット  ：  ２００  デジタルカメラ  ：  ２２０  レンズ鏡筒  ：  ２７０  配線部  ：  ２８０  第２の撮像部  ：  ２８１  ＣＣＤ  ：  ２９０  ＣＣＤ保持ユニット  ：  ３００  ＣＣＤ台  ：  ３０２  ばね収容部  ：  ３０３  ねじ孔  ：  ３１０  調整ばね  ：  ３２０  スペーサ  ：  ３２３  切欠部  ：  Ｓ１  ＣＣＤ固定ねじ  ：  Ｓ２  硬質基板固定ねじ
【図１】
2008116739.tif 000003
【図２】
2008116739.tif 000004
【図３】
2008116739.tif 000005
【図４】
2008116739.tif 000006